(57)【特許請求の範囲】
【請求項１】
外周面と、内部空間を画定する内周面とを有し、所定の長手方向に延びる筒状部と、
唾液、または切削屑などの物質を体内から吸引するための第１吸引開口を形成する第１端縁部分を有し、第１吸引開口が筒状部の内部空間に連通するように筒状部から所定の長手方向と平行な所定の延出方向に延びる第１延出部であって、筒状部の外周面に連結される第１外周面と、第１吸引開口を画定する第１内周面とを有する第１延出部と、
唾液、または切削屑などの物質を体内から吸引するための第２吸引開口を第１吸引開口の内部に形成するために第１吸引開口の内部に配置される第２端縁部分を有し、第２吸引開口が筒状部の内部空間に連通するように所定の延出方向に延びる第２延出部であって、所定の延出方向と直交する方向において第１延出部の第１内周面に対向する第２外周面と、第２吸引開口を画定する第２内周面であって、筒状部の内周面、または第１延出部の第１内周面に連結される第２内周面とを有する第２延出部と、
所定の延出方向と直交する方向において、互いに対向する第１延出部の第１内周面と第２延出部の第２外周面とを連結する連結部と、を備え、
第１端縁部分は、第１端縁部分のうちの最も筒状部に近接する端縁部分から、第１端縁部分のうちの最も延出する第１先端部分まで、所定の延出方向に対して傾斜して延び、
第２端縁部分は、第１端縁部分の傾斜方向に沿って所定の延出方向に対して傾斜して延び、
第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置される診療用吸引具。
【請求項２】
連結部は、第２端縁部分の第２先端部分において所定の延出方向と直交する方向に第１延出部の第１内周面と第２延出部の第２外周面とが離間する間隔と同じ長さを有する領域であって、第２端縁部分の第２先端部分から筒状部の内部空間に向かう所定の延出方向と平行な方向に定められる領域のうちの少なくとも一部の領域で、互いに対向する第１延出部の第１内周面と第２延出部の第２外周面とを連結する請求項１に記載の診療用吸引具。
【請求項３】
連結部は、第２端縁部分の第２先端部分において、互いに対向する第１延出部の第１内周面と第２延出部の第２外周面とを連結する請求項２に記載の診療用吸引具。
【請求項４】
連結部は、所定の延出方向と直交する方向に第１延出部の第１内周面と第２延出部の第２外周面とが離間する間隔が最も大きい位置で、互いに対向する第１延出部の第１内周面と第２延出部の第２外周面とを連結する請求項１乃至請求項３のいずれかに記載の診療用吸引具。
【請求項５】
第１延出部の第１端縁部分は、最も筒状部に近接する端縁部分を含む第１傾斜部分と、第１傾斜部分より傾斜角度が小さく、第１先端部分を含む第２傾斜部分とを有し、
第１端縁部分のうちの最も筒状部に近接する端縁部分と、第１端縁部分の第１先端部分とを結ぶ線分の所定の延出方向に対する傾斜角度は、第１傾斜部分の傾斜角度より小さく設定される請求項１乃至請求項４のいずれかに記載の診療用吸引具。
【請求項６】
第２延出部の第２端縁部分は、筒状部の内周面、または第１延出部の第１内周面に連結される端縁部分を含む第３傾斜部分と、第３傾斜部分より傾斜角度が小さく、第２先端部分を含む第４傾斜部分とを有し、
第１端縁部分のうちの最も筒状部に近接する端縁部分と、第１端縁部分の第１先端部分とを結ぶ線分の所定の延出方向に対する傾斜角度は、第３傾斜部分の傾斜角度より小さく、第４傾斜部分の傾斜角度より大きく設定される請求項５に記載の診療用吸引具。
【請求項７】
筒状部の内部空間は、所定の延出方向と直交する平面において、円形の断面形状を有し、
所定の延出方向と直交する平面において、筒状部の内周面、または第１延出部の第１内周面と、その内周面に対向する第２延出部の第２内周面とにより画定される領域に、筒状部の内部空間の中心位置が位置するように、第２延出部が配置される請求項１乃至請求項６のいずれかに記載の診療用吸引具。
【請求項８】
所定の延出方向と直交する平面において、筒状部の内周面、または第１延出部の第１内周面と、その内周面に対向する第２延出部の第２内周面とにより画定される領域の面積が、第２延出部の第２外周面と、その外周面に対向する第１延出部の第１内周面とにより画定される領域の面積と同じになるように、第２延出部が配置される請求項７に記載の診療用吸引具。
【請求項９】
所定の長手方向に延びる筒状部であって、所定の長手方向に延びる中心線を中心とする円形の外周面と、内部空間を画定する円形の内周面とを有する筒状部と、
唾液、または切削屑などの物質を体内から吸引するための第１吸引開口を形成する第１端縁部分を有し、第１吸引開口が筒状部の内部空間に連通するように筒状部から所定の長手方向と平行な所定の延出方向に延びる第１延出部であって、筒状部の外周面に連結される第１外周面と、第１吸引開口を画定する第１内周面とを有する第１延出部と、
唾液、または切削屑などの物質を体内から吸引するための第２吸引開口を第１吸引開口の内部に形成するために第１吸引開口の内部に配置される第２端縁部分を有し、第２吸引開口が筒状部の内部空間に連通するように所定の延出方向に延びる第２延出部であって、所定の延出方向と直交する方向において第１延出部の第１内周面に対向する第２外周面と、第２吸引開口を画定する第２内周面であって、筒状部の内周面、または第１延出部の第１内周面に連結される第２内周面とを有する第２延出部と、
所定の延出方向と直交する方向において、互いに対向する第１延出部の第１内周面と第２延出部の第２外周面とを連結する連結部と、を備え、
第１端縁部分は、第１端縁部分のうちの最も筒状部に近接する端縁部分から、第１端縁部分のうちの最も延出する第１先端部分まで、所定の延出方向に対して傾斜して延び、
第２端縁部分は、第１端縁部分の傾斜方向に沿って所定の延出方向に対して傾斜して延び、
第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置され、
第１端縁部分のうちの最も筒状部に近接する端縁部分と、第１端縁部分の第１先端部分と、第２端縁部分の第２先端部分と、連結部とは、筒状部の中心線を含む特定の平面の上にそれぞれ位置する診療用吸引具。
【請求項１０】
所定の長手方向に延びる筒状部であって、所定の長手方向に延びる中心線を中心とする円形の外周面と、内部空間を画定する円形の内周面とを有する筒状部と、
唾液、または切削屑などの物質を体内から吸引するための第１吸引開口を形成する第１端縁部分を有し、第１吸引開口が筒状部の内部空間に連通するように筒状部から所定の長手方向と平行な所定の延出方向に延びる第１延出部であって、筒状部の外周面に連結される第１外周面と、第１吸引開口を画定する第１内周面とを有する第１延出部と、
唾液、または切削屑などの物質を体内から吸引するための第２吸引開口を第１吸引開口の内部に形成するために第１吸引開口の内部に配置される第２端縁部分を有し、第２吸引開口が筒状部の内部空間に連通するように所定の延出方向に延びる第２延出部であって、所定の延出方向と直交する方向において第１延出部の第１内周面に対向する第２外周面と、第２吸引開口を画定する第２内周面であって、筒状部の内周面、または第１延出部の第１内周面に連結される第２内周面とを有する第２延出部と、
所定の延出方向と直交する方向において、互いに対向する第１延出部の第１内周面と第２延出部の第２外周面とを連結する連結部と、を備え、
第１端縁部分は、第１端縁部分のうちの最も筒状部に近接する端縁部分から、第１端縁部分のうちの最も延出する第１先端部分まで、所定の延出方向に対して傾斜して延び、
第２端縁部分は、第１端縁部分の傾斜方向に沿って所定の延出方向に対して傾斜して延び、
第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置され、
第１端縁部分のうちの最も筒状部に近接する端縁部分と、第１端縁部分の第１先端部分と、第２端縁部分の第２先端部分と、連結部とは、筒状部の中心線を含む特定の平面の上にそれぞれ位置し、
第２端縁部分の第２先端部分において所定の延出方向と直交する方向に第１延出部の第１内周面と第２延出部の第２外周面とが離間する間隔と同じ長さを有する領域であって、第２端縁部分の第２先端部分から筒状部の内部空間に向かう所定の延出方向と平行な方向に定められる領域内に、所定の延出方向において連結部のうちの最も延出する連結先端部分は、位置する診療用吸引具。
【発明の詳細な説明】
【技術分野】
【０００１】
本発明は、人間および動物などの生物の体内で生成される唾液並びに血液、または冷却用噴水などの液体物質、或いは、切削屑などの固体物質を吸引するために使用される診療用吸引具に関する。詳細には、生物の体内から物質を吸引する際に、舌および臓器などの体内の柔らかい組織が吸着されることを低減することができる診療用吸引具に関する。
【背景技術】
【０００２】
従来、唾液などの物質を吸引するために使用される診療用吸引具として、種々の構成の診療用吸引具が提案されている。たとえば、特許文献１に記載の覆い部材は、患者の口腔内の唾液などの物質を吸引するために、コンプレッサに連結される管状部材の端部に取り付けられる。覆い部材は、シリコンゴムなどの軟質の材料から構成される。覆い部材は、筒状部と、管状部材が挿入される排出用開口と、入口側開口とを備える。入口側開口は、筒状部の軸方向に対して傾斜した状態で設けられる。突出片が、入口側開口において、覆い部材の先端部かつ下部に、覆い部材の先端に向かって筒状部から突出して設けられる。吸引された固形物が排出用開口に向かうのを規制するために、規制部が筒状部の内部に設けられる。規制部は、筒状部の内周面の上端部と下端部とに接続される板状部材を含む。
【０００３】
一般的に、患者の口腔内の唾液などを吸引する際に、覆い部材の突出片が、口腔内の唾液に浸かるように下方に配置され、口腔の内壁に押し当てられる。この押し当て時に、規制部の板状部材は、覆い部材の筒状部が押し当て荷重により潰れることを低減することができる。
【０００４】
また、特許文献２に記載の吸引チップは、患者の口腔内の唾液などの物質を吸引するために、吸引機に連結される吸引パイプに取り付けられる。吸引チップは、シリコンゴムなどの可撓性部材から一体成形される。吸引チップは、円筒状の基材部と、小径管部とを備える。基材部は、長手方向傾斜面状に切断された延出部を有する。小径管部は、基材部の内面に内接して偏心状に形成され、延出部から突出する。小径管部が延出部から突出する長さは、ほぼ患者の歯の高さであり、６ｍｍ程度である。小径管部の内径は、２ｍｍ程度である。
【０００５】
特許文献２に記載の吸引チップが歯科診療に使用されるとき、切削屑が基材部の先端の延出部から吸引されると同時に、口腔内の歯の根元部に溜まる液体が小径管部の先端から吸引される。
【先行技術文献】
【特許文献】
【０００６】
【特許文献１】特開２０１４−１８４０９７号公報
【特許文献２】特許第４９８５９１７号公報
【発明の概要】
【発明が解決しようとする課題】
【０００７】
特許文献１に記載の覆い部材では、口腔内の奥まで、覆い部材の突出片を挿入した場合に、口腔内の内壁、または舌などの柔らかい組織が、入口側開口に吸着されることがある。組織が吸着された場合には、診療を中断しなければならない。
【０００８】
特許文献２に記載の吸引チップでは、吸引チップの小径管部が延出部から大きく突出していることから、柔らかい組織が延出部の吸引開口に吸着されることなく、小径管部は口腔内の奥に溜まった唾液などの液体物質を吸引することができる。しかし、口腔内の奥で生じた切削屑などの固体物質を延出部により吸引するためには、大きく突出する小径管部が邪魔になることがある。
【０００９】
そこで、本発明は、上記の事情に鑑みてなされたものであり、唾液、または切削屑などの物質を円滑に吸引することができるとともに、吸引する際に柔らかい組織が吸着されることを低減することができる診療用吸引具を提供することを目的とする。
【課題を解決するための手段】
【００１０】
請求項１に記載の第１の発明態様は、外周面と、内部空間を画定する内周面とを有し、所定の長手方向に延びる筒状部と、唾液、または切削屑などの物質を体内から吸引するための第１吸引開口を形成する第１端縁部分を有し、第１吸引開口が筒状部の内部空間に連通するように筒状部から所定の長手方向と平行な所定の延出方向に延びる第１延出部であって、筒状部の外周面に連結される第１外周面と、第１吸引開口を画定する第１内周面とを有する第１延出部と、唾液、または切削屑などの物質を体内から吸引するための第２吸引開口を第１吸引開口の内部に形成するために第１吸引開口の内部に配置される第２端縁部分を有し、第２吸引開口が筒状部の内部空間に連通するように所定の延出方向に延びる第２延出部であって、所定の延出方向と直交する方向において第１延出部の第１内周面に対向する第２外周面と、第２吸引開口を画定する第２内周面であって、筒状部の内周面、または第１延出部の第１内周面に連結される第２内周面とを有する第２延出部と、所定の延出方向と直交する方向において、互いに対向する第１延出部の第１内周面と第２延出部の第２外周面とを連結する連結部と、を備え、第１端縁部分は、第１端縁部分のうちの最も筒状部に近接する端縁部分から、第１端縁部分のうちの最も延出する第１先端部分まで、所定の延出方向に対して傾斜して延び、第２端縁部分は、第１端縁部分の傾斜方向に沿って所定の延出方向に対して傾斜して延び、第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置される。
【００１１】
本発明態様では、内部空間に吸引される液体物質は、唾液または血液などの体内で生成される物質であってもよいし、冷却用噴水などの外部から体内に供給される物質であってもよい。また、内部空間に吸引される固体物質は、歯などの切削屑であってもよいし、脱脂綿などの外部から供給される物質であってもよい。
【００１２】
本発明態様では、筒状部は、吸引力発生手段に連結される吸引パイプと一体的に形成される構成であってもよいし、その吸引パイプに対して着脱可能な構成であってもよい。
【００１３】
本発明態様では、筒状部は、筒状の形状であれば、円形または楕円形などの曲面形状の筒形であってもよいし、多角形の筒形であってもよい。
【００１４】
本発明態様では、筒状部、第１延出部、第２延出部、および連結部が、同じ材料により一体に成形される構成であってもよいし、一部の構成部分が異なる材料により形成される構成であってもよい。
【００１５】
本発明態様では、第２端縁部分のうちの最も延出する第２先端部分は、第１端縁部分のうちの最も筒状部に近接する端縁部分と、第１端縁部分のうちの最も延出する第１先端部分とを結ぶ線分を含む平面であって、所定の延出方向に平行な特定の平面上に位置する配置構成であってもよいし、その特定の平面と交差する平面であって、所定の延出方向に平行な平面上に位置する配置構成であってもよい。
【００１６】
本発明態様では、第１端縁部分のうちの最も筒状部に近接する端縁部分と、第１端縁部分のうちの最も延出する第１先端部分とを結ぶ線分を含む平面であって、所定の延出方向に平行な特定の平面に投影される第１端縁部分の形状、および、その特定の平面に投影される第２端縁部分の形状は、１つの直線の形状であってもよいし、曲線形状であってもよいし、傾斜角度の異なる複数の直線からなる形状であってもよい。また、第２端縁部分が、第１端縁部分に沿って傾斜するのであれば、第２端縁部分の傾斜角度が、第１端縁部分の少なくとも一部分の傾斜角度と同じである必要はない。
【００１７】
本発明態様では、連結部は、第１端縁部分のうちの最も筒状部に近接する端縁部分と、第１端縁部分のうちの最も延出する第１先端部分とを結ぶ線分を含む平面であって、所定の延出方向に平行な特定の平面上に位置する配置構成であってもよいし、その特定の平面と交差する平面であって、所定の延出方向に平行な平面上に位置する配置構成であってもよい。
【００１８】
請求項２に記載の具体的態様では、連結部は、第２端縁部分の第２先端部分において所定の延出方向と直交する方向に第１延出部の第１内周面と第２延出部の第２外周面とが離間する間隔と同じ長さを有する領域であって、第２端縁部分の第２先端部分から筒状部の内部空間に向かう所定の延出方向と平行な方向に定められる領域のうちの少なくとも一部の領域で、互いに対向する第１延出部の第１内周面と第２延出部の第２外周面とを連結する。
【００１９】
本具体的態様では、連結部は、第１延出部の第１内周面と第２延出部の第２外周面とが離間する間隔と同じ長さを有する領域であって、第２端縁部分の第２先端部分から筒状部の内部空間に向かう所定の延出方向と平行な方向に定められる領域のうちの少なくとも一部の特定の領域のみに配置される構成であってもよいし、その特定の領域を含み、筒状部の内部空間の一部まで広がる領域において、連続した状態で、または、不連続な状態で、所定の延出方向に配置される構成であってもよい。
【００２０】
請求項３に記載の具体的態様では、連結部は、第２端縁部分の第２先端部分において、互いに対向する第１延出部の第１内周面と第２延出部の第２外周面とを連結する。
【００２１】
請求項４に記載の具体的態様では、連結部は、所定の延出方向と直交する方向に第１延出部の第１内周面と第２延出部の第２外周面とが離間する間隔が最も大きい位置で、互いに対向する第１延出部の第１内周面と第２延出部の第２外周面とを連結する。
【００２２】
請求項５に記載の具体的態様では、第１延出部の第１端縁部分は、最も筒状部に近接する端縁部分を含む第１傾斜部分と、第１傾斜部分より傾斜角度が小さく、第１先端部分を含む第２傾斜部分とを有し、第１端縁部分のうちの最も筒状部に近接する端縁部分と、第１端縁部分の第１先端部分とを結ぶ線分の所定の延出方向に対する傾斜角度は、第１傾斜部分の傾斜角度より小さく設定される。
【００２３】
本具体的態様では、第２端縁部分の傾斜角度は、第２傾斜部分の傾斜角度と同じであってもよいし、異なってもよい。
【００２４】
本具体的態様では、第１端縁部分は、傾斜角度が異なる３つ以上の傾斜部分を有する構成であってもよいし、所定の延出方向に平行な端縁部分を含む構成であってもよい。
【００２５】
請求項６に記載の具体的態様では、第２延出部の第２端縁部分は、筒状部の内周面、または第１延出部の第１内周面に連結される端縁部分を含む第３傾斜部分と、第３傾斜部分より傾斜角度が小さく、第２先端部分を含む第４傾斜部分とを有し、第１端縁部分のうちの最も筒状部に近接する端縁部分と、第１端縁部分の第１先端部分とを結ぶ線分の所定の延出方向に対する傾斜角度は、第３傾斜部分の傾斜角度より小さく、第４傾斜部分の傾斜角度より大きく設定される。
【００２６】
本具体的態様では、第２端縁部分は、傾斜角度が異なる３つ以上の傾斜部分を有する構成であってもよいし、所定の延出方向に平行な端縁部分を含む構成であってもよい。
【００２７】
請求項７に記載の具体的態様では、筒状部の内部空間は、所定の延出方向と直交する平面において、円形の断面形状を有し、所定の延出方向と直交する平面において、筒状部の内周面、または第１延出部の第１内周面と、その内周面に対向する第２延出部の第２内周面とにより画定される領域に、筒状部の内部空間の中心位置が位置するように、第２延出部が配置される。
【００２８】
請求項８に記載の具体的態様では、所定の延出方向と直交する平面において、筒状部の内周面、または第１延出部の第１内周面と、その内周面に対向する第２延出部の第２内周面とにより画定される領域の面積が、第２延出部の第２外周面と、その外周面に対向する第１延出部の第１内周面とにより画定される領域の面積と同じになるように、第２延出部が配置される。
【００２９】
請求項９に記載の第２の発明態様は、所定の長手方向に延びる筒状部であって、所定の長手方向に延びる中心線を中心とする円形の外周面と、内部空間を画定する円形の内周面とを有する筒状部と、唾液、または切削屑などの物質を体内から吸引するための第１吸引開口を形成する第１端縁部分を有し、第１吸引開口が筒状部の内部空間に連通するように筒状部から所定の長手方向と平行な所定の延出方向に延びる第１延出部であって、筒状部の外周面に連結される第１外周面と、第１吸引開口を画定する第１内周面とを有する第１延出部と、唾液、または切削屑などの物質を体内から吸引するための第２吸引開口を第１吸引開口の内部に形成するために第１吸引開口の内部に配置される第２端縁部分を有し、第２吸引開口が筒状部の内部空間に連通するように所定の延出方向に延びる第２延出部であって、所定の延出方向と直交する方向において第１延出部の第１内周面に対向する第２外周面と、第２吸引開口を画定する第２内周面であって、筒状部の内周面、または第１延出部の第１内周面に連結される第２内周面とを有する第２延出部と、所定の延出方向と直交する方向において、互いに対向する第１延出部の第１内周面と第２延出部の第２外周面とを連結する連結部と、を備え、第１端縁部分は、第１端縁部分のうちの最も筒状部に近接する端縁部分から、第１端縁部分のうちの最も延出する第１先端部分まで、所定の延出方向に対して傾斜して延び、第２端縁部分は、第１端縁部分の傾斜方向に沿って所定の延出方向に対して傾斜して延び、第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置され、第１端縁部分のうちの最も筒状部に近接する端縁部分と、第１端縁部分の第１先端部分と、第２端縁部分の第２先端部分と、連結部とは、筒状部の中心線を含む特定の平面の上にそれぞれ位置する。
【００３０】
請求項１０に記載の第３の発明態様は、所定の長手方向に延びる筒状部であって、所定の長手方向に延びる中心線を中心とする円形の外周面と、内部空間を画定する円形の内周面とを有する筒状部と、唾液、または切削屑などの物質を体内から吸引するための第１吸引開口を形成する第１端縁部分を有し、第１吸引開口が筒状部の内部空間に連通するように筒状部から所定の長手方向と平行な所定の延出方向に延びる第１延出部であって、筒状部の外周面に連結される第１外周面と、第１吸引開口を画定する第１内周面とを有する第１延出部と、唾液、または切削屑などの物質を体内から吸引するための第２吸引開口を第１吸引開口の内部に形成するために第１吸引開口の内部に配置される第２端縁部分を有し、第２吸引開口が筒状部の内部空間に連通するように所定の延出方向に延びる第２延出部であって、所定の延出方向と直交する方向において第１延出部の第１内周面に対向する第２外周面と、第２吸引開口を画定する第２内周面であって、筒状部の内周面、または第１延出部の第１内周面に連結される第２内周面とを有する第２延出部と、所定の延出方向と直交する方向において、互いに対向する第１延出部の第１内周面と第２延出部の第２外周面とを連結する連結部と、を備え、第１端縁部分は、第１端縁部分のうちの最も筒状部に近接する端縁部分から、第１端縁部分のうちの最も延出する第１先端部分まで、所定の延出方向に対して傾斜して延び、第２端縁部分は、第１端縁部分の傾斜方向に沿って所定の延出方向に対して傾斜して延び、第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置され、第１端縁部分のうちの最も筒状部に近接する端縁部分と、第１端縁部分の第１先端部分と、第２端縁部分の第２先端部分と、連結部とは、筒状部の中心線を含む特定の平面の上にそれぞれ位置し、第２端縁部分の第２先端部分において所定の延出方向と直交する方向に第１延出部の第１内周面と第２延出部の第２外周面とが離間する間隔と同じ長さを有する領域であって、第２端縁部分の第２先端部分から筒状部の内部空間に向かう所定の延出方向と平行な方向に定められる領域内に、所定の延出方向において連結部のうちの最も延出する連結先端部分は、位置する。
【発明の効果】
【００３１】
請求項１、請求項９、および請求項１０に記載の第１乃至第３の発明態様では、第１延出部は、唾液、または切削屑などの物質を体内から吸引するための第１吸引開口を形成する第１端縁部分を有し、第１吸引開口が内部空間に連通するように筒状部から所定の延出方向に延びる。第２延出部は、唾液、または切削屑などの物質を体内から吸引するための第２吸引開口を第１吸引開口の内部に形成する第２端縁部分を有し、第２吸引開口が内部空間に連通するように所定の延出方向に延び、筒状部の内周面、または第１延出部の第１内周面に連結される。連結部は、所定の延出方向と直交する方向において、互いに対向する第１延出部の第１内周面と第２延出部の第２外周面とを連結する。第１端縁部分は、第１端縁部分のうちの最も筒状部に近接する端縁部分から、第１端縁部分のうちの最も延出する第１先端部分まで、所定の延出方向に対して傾斜して延びる。第２端縁部分は、第１端縁部分の傾斜方向に沿って所定の延出方向に対して傾斜して延びる。第２端縁部分のうちの最も延出する第２先端部分であって、第１端縁部分のうちの最も筒状部に近接する端縁部分よりも所定の延出方向に延出する第２先端部分は、所定の延出方向において、第１端縁部分のうちの最も筒状部に近接する端縁部分と、第１端縁部分の第１先端部分とを結ぶ線分よりも、延出した位置であって、第１端縁部分の第１先端部分よりも、退避した位置に配置される。この結果、第２端縁部分のうちの最も延出する第２先端部分が、第１端縁部分のうちの最も延出する第１先端部分よりも退避した位置に配置されることから、唾液、または切削屑などの物質を円滑に吸引することができる。また、第２端縁部分のうちの最も延出する第２先端部分が、所定の延出方向において、第１端縁部分のうちの最も筒状部に近接する端縁部分と、第１端縁部分のうちの最も延出する第１先端部分とを結ぶ線分よりも延出した位置に配置されることから、吸引する際に柔らかい組織が第１吸引開口および第２吸引開口に吸着されることを低減することができる。さらに、連結部が、互いに対向する第１延出部の第１内周面と第２延出部の第２外周面とを連結することから、吸引力により第２延出部が変形して第１吸引開口または第２吸引開口を塞ぐことを低減することができる。
【００３２】
請求項２に記載の具体的態様では、連結部は、第２端縁部分のうちの最も延出する第２先端部分において所定の延出方向と直交する方向に第１延出部の第１内周面と第２延出部の第２外周面とが離間する間隔と同じ長さを有する領域であって、第２端縁部分のうちの最も延出する第２先端部分から筒状部の内部空間に向かう所定の延出方向と平行な方向に定められる領域のうちの少なくとも一部の領域で、互いに対向する第１延出部の第１内周面と第２延出部の第２外周面とを連結する。この結果、連結部は、第２端縁部分のうちの最も延出する第２先端部分から、第１延出部の第１内周面と第２延出部の第２外周面とが離間する間隔と同じ長さを有する領域の少なくとも一部の領域で、第１延出部の第１内周面と第２延出部の第２外周面とを連結することから、吸引力により第２延出部が変形して第１吸引開口または第２吸引開口を塞ぐことを確実に低減することができる。
【００３３】
請求項３に記載の具体的態様では、連結部は、第２端縁部分のうちの最も延出する第２先端部分において、互いに対向する第１延出部の第１内周面と第２延出部の第２外周面とを連結する。この結果、第２端縁部分のうちの最も延出する第２先端部分において、連結部は、第１延出部の第１内周面と第２延出部の第２外周面との間隔を一定に保持することから、第１吸引開口および第２吸引開口の開口領域を確実に確保することができる。
【００３４】
請求項４に記載の具体的態様では、連結部は、所定の延出方向と直交する方向に第１延出部の第１内周面と第２延出部の第２外周面とが離間する間隔が最も大きい位置で、互いに対向する第１延出部の第１内周面と第２延出部の第２外周面とを連結する。この結果、第１延出部の第１内周面と第２延出部の第２外周面とが離間する間隔が最も大きな位置で、連結部は、第１延出部の第１内周面と第２延出部の第２外周面との間隔を一定に保持することから、第１吸引開口および第２吸引開口の開口領域を確実に確保することができる。
【００３５】
請求項５に記載の具体的態様では、第１延出部の第１端縁部分は、第１傾斜部分と、第１傾斜部分より傾斜角度が小さい第２傾斜部分とを有する。第１端縁部分のうちの最も筒状部に近接する端縁部分と、第１端縁部分のうちの最も延出する第１先端部分とを結ぶ線分の所定の延出方向に対する傾斜角度は、第１傾斜部分の傾斜角度より小さく設定される。この結果、第１端縁部分が、傾斜角度の異なる２つの傾斜部分を有することから、第１吸引開口が塞がれることを低減することができる。
【００３６】
請求項６に記載の具体的態様では、第２延出部の第２端縁部分は、第３傾斜部分と、第３傾斜部分より傾斜角度が小さい第４傾斜部分とを有する。第１端縁部分のうちの最も筒状部に近接する端縁部分と、第１端縁部分のうちの最も延出する第１先端部分とを結ぶ線分の所定の延出方向に対する傾斜角度は、第３傾斜部分の傾斜角度より小さく、第３傾斜部分の傾斜角度より大きく設定される。この結果、第２端縁部分が、傾斜角度の異なる２つの傾斜部分を有することから、第２吸引開口が塞がれることを低減することができる。
【００３７】
請求項７に記載の具体的態様では、筒状部の内周面、または第１延出部の第１内周面と、その内周面に対向する第２延出部の第２内周面とにより画定される領域に、筒状部の内部空間の中心位置が位置する。この結果、第２吸引開口から吸引される物質を筒状部の内部空間へ円滑に移動させることができる。
【００３８】
請求項８に記載の具体的態様では、筒状部の内周面、または第１延出部の第１内周面と、その内周面に対向する第２延出部の第２内周面とにより画定される領域の面積が、第２延出部の第２外周面と、その外周面に対向する第１延出部の第１内周面とにより画定される領域の面積と同じになる。この結果、筒状部の内周面と第２延出部の第２内周面とにより画定される領域における吸引力と、第２延出部の第２外周面と第１延出部の第１内周面とにより画定される領域における吸引力とが異なる状態となることを低減することができる。
【００３９】
本発明態様では、筒状部は、吸引力発生手段に連結される吸引パイプが挿入され、内部空間に連通する挿入開口と、段差部分とを有し、段差部分は、挿入開口から挿入される吸引パイプの端縁と当接可能に形成される構成であってもよい。この構成の結果、段差部分が吸引パイプの端縁と当接することにより、吸引パイプに対する診療用吸引具の取付位置を一定位置に規制することができる。
【００４０】
本発明態様では、複数の把持突起が、所定の延出方向と直交する方向に、筒状部の外周面から突出する構成であってもよい。この構成の結果、使用者は、複数の把持突起を把持することにより、吸引パイプに対する診療用吸引具の取付け、および取外しを容易に行うことができる。
【図面の簡単な説明】
【００４１】
【図１】本発明の実施形態に係る歯科診療用吸引具１が吸引パイプ２に取り付けられた状態を示す正面図である。
【図２】歯科診療用吸引具１を右前方から見た斜視図である。
【図３】歯科診療用吸引具１を上方から見た上面図である。
【図４】歯科診療用吸引具１を前方から見た正面図である。
【図５】歯科診療用吸引具１を右方から見た右側面図である。
【図６】図３に示すＡ−Ａ線に従って切断した歯科診療用吸引具１の右側断面図である。
【図７】歯科診療用吸引具１が吸引パイプ２に取り付けられた状態において、図６と同様に切断された歯科診療用吸引具１および吸引パイプ２の右側断面図である。
【図８】本発明の変形例の歯科診療用吸引具１を示す上面図である。
【発明を実施するための形態】
【００４２】
＜実施形態＞
以下に、本発明の一実施形態に係る歯科診療用吸引具について、図面を参照して説明する。図１は、患者の唾液および血液、または冷却用噴水などの液体物質、または、切削屑などの固体物質を、患者の口腔内から吸引するために歯科診療用吸引具１と、歯科診療用吸引具１が取り付けられた吸引パイプ２とを示す。なお、図１に矢印で示す２つの方向を、上下方向および前後方向と定め、両方向と直交する方向を左右方向と定め、図２以降の他の図面でも同様に、各方向を示す。
【００４３】
歯科診療用吸引具１は、図示しない吸引ポンプに連結される吸引パイプ２に対して着脱可能に構成される。歯科診療用吸引具１は、加熱滅菌処理されることにより、繰り返し使用可能であるが、長期間使用された場合には、新品の歯科診療用吸引具１と交換される。
【００４４】
［歯科診療用吸引具１の詳細な構成］
図２乃至図６を参照して、歯科診療用吸引具１の詳細な構成を説明する。歯科診療用吸引具１は、合成樹脂材料から成形される。合成樹脂材料としては、耐熱性、耐薬品性、および可撓性に優れた合成樹脂材料であることが必要である。耐熱性として、１３０°Ｃから１５０°Ｃまでの加熱範囲で滅菌処理に耐えうることが必要であり、耐薬品性として、歯科治療に使用される薬品により劣化することがないことが必要である。合成樹脂材料として、シリコンゴム、または、熱可塑性エラストマーなどの合成樹脂材料が使用可能である。本実施形態では、三菱化学株式会社製のラバロン（登録商標）ＭＪ５３０１Ｃが使用される。
【００４５】
図２は、歯科診療用吸引具１単体の斜視図である。図２において、歯科診療用吸引具１は、筒状部３と、第１延出部４と、第２延出部５と、連結部６と、を主に備える。筒状部３は、円筒形状を有し、前後方向に延びて形成される。第１延出部４は、筒状部３の前方部分から、前方に延びて形成される。第１延出部４の外周面は、筒状部３の外周面と連続して形成される。第２延出部５は、第１延出部４の内部に配置された状態で、筒状部３および第１延出部４の前方部分から前方に延びて形成される。第１延出部４は、第１端縁部分１０を備える、第１先端部分１２は、その第１端縁部分１０のうちで、最も前方に延出する部分である。第２延出部５は、第２端縁部分１４を備える。第２先端部分１６は、第２端縁部分１４のうちで、最も前方に延出する部分である。本実施形態では、第１先端部分１２は、第２先端部分１６より、２．５ｍｍだけ前方に延出する。第１先端部分１２は、半径０．５ｍｍの円弧面に形成され。第２先端部分１６は、半径０．２ｍｍの円弧面に形成される。
【００４６】
図３は、歯科診療用吸引具１の上面図であり、図４は、歯科診療用吸引具１の正面図である。図３において、筒状部３は、中心点ＣＴを中心とする円形の外周面を有する。両延出部４、５の先端部分１２、１６は、図３および図４に示すように、中心点ＣＴを通って上下方向に延びる平面であって、前後方向にも延びる特定の平面の上にそれぞれ位置するように、配置される。連結部６は、図４に示すように、特定の平面の上に位置する状態で、第１延出部４と、第２延出部５とを連結する。具体的には、連結部６は、図２に示すように、第２先端部分１６の配置位置の近傍に、連結先端部分１８を有し、その連結先端部分１８から後方に延びる。
【００４７】
図２において、第１延出部４の第１端縁部分１０は、筒状部３に最も近接した後端部分２０と、右上傾斜部分２２と、左上傾斜部分２４と、右下傾斜部分２６と、左下傾斜部分２８と、を備える。右上傾斜部分２２は、上方部分において後端部分２０に連結されて形成され、下方部分において右下傾斜部分２６に連結されて形成される。左上傾斜部分２４は、上方部分において後端部分２０に連結されて形成され、下方部分において左下傾斜部分２８に連結されて形成される。右下傾斜部分２６、および左下傾斜部分２８は、下方部分において第１先端部分１２に連結されて形成される。
【００４８】
図２において、第２延出部５の第２端縁部分１４は、右上傾斜部分３２と、左上傾斜部分３４と、右下傾斜部分３６と、左下傾斜部分３８と、右水平部分４０と、左水平部分４２と、を備える。右水平部分４０、および左水平部分４２は、前後方向に水平に延びて形成される。右上傾斜部分３２は、右側方部分において右上傾斜部分２２に連結されて形成され、下方部分において右水平部分４０の後端部分に連結されて形成される。左上傾斜部分３４は、左側方部分において左上傾斜部分２４に連結されて形成され、下方部分において左水平部分４２の後端部分に連結されて形成される。右下傾斜部分３６は、上方部分において右水平部分４０の前端部分に連結されて形成され、下方部分において第２先端部分１６に連結されて形成される。左下傾斜部分３８は、上方部分において左水平部分４２の前端部分に連結されて形成され、下方部分において第２先端部分１６に連結されて形成される。
【００４９】
第１延出部４の第１端縁部分１０は、第１吸引開口４４を形成する。第２延出部５の第２端縁部分１４と、第１延出部４の右上傾斜部分２２、および左上傾斜部分２４の一部分とは、第２吸引開口４６を形成する。第２吸引開口４６は、図３および図４に示すように、第１吸引開口４４の内部に形成される。筒状部３の中心点ＣＴが、図４に示すように、第２吸引開口４６の内部に位置するように、第２吸引開口４６が形成される。
【００５０】
本実施形態では、第２吸引開口４６が前後方向と直交する平面に投影された面積は、第１吸引開口４４から第２吸引開口４６を除いた残りの吸引開口が前後方向と直交する平面に投影された面積と、ほぼ同じ面積に設定される。その残りの吸引開口は、右下傾斜部分２６と、左下傾斜部分２８と、右下傾斜部分３６と、左下傾斜部分３８とにより、画定される。
【００５１】
第１延出部４の第１端縁部分１０は、図４に示すように、中心点ＣＴを中心とする円形の外周面を有する。その第１端縁部分１０の円形の外周面は、筒状部３の円形の外周面と同じ半径で、形成される。第２延出部５の第２端縁部分１４の右下傾斜部分３６、および左下傾斜部分３８は、中心点ＣＴから上方に偏心した中心点ＣＨを中心とする円弧形状に形成される。第２端縁部分１４の右上傾斜部分３２、および左上傾斜部分３４を前方から見た形状は、図４に示すように、右水平部分４０、および左水平部分４２から直線状に立ち上がる形状である。
【００５２】
（第１延出部４の第１端縁部分１０の傾斜形状）
第１延出部４の第１端縁部分１０の傾斜形状について、図５および図６を参照して説明する。図５は、歯科診療用吸引具１の右側面図であり、図６は、図３に示すＡ−Ａ線に従って切断された歯科診療用吸引具１の右側断面図である。図５において、中心線ＣＬは、中心点ＣＴを通り、前後方向に延びる線である。傾斜線ＫＬ１は、後端部分２０と第１先端部分１２とを結ぶ線である。傾斜線ＫＬ２は、後端部分２０と第２先端部分１６とを結ぶ線である。傾斜角度θ１は、傾斜線ＫＬ１と、前後方向の水平線とが時計回り方向になす角度である。傾斜角度θ２は、傾斜線ＫＬ２と、前後方向の水平線とが時計回り方向になす角度である。傾斜角度α１は、右上傾斜部分２２が、中心線ＣＬを含む上下方向の垂直な平面に投影された傾斜線と、前後方向の水平線とが時計回り方向になす角度である。傾斜角度α２は、右下傾斜部分２６が、中心線ＣＬを含む上下方向の垂直な平面に投影された傾斜線と、前後方向の水平線とが時計回り方向になす角度である。
【００５３】
図６において、傾斜角度α１は、左上傾斜部分２４が、中心線ＣＬを含む上下方向の垂直な平面に投影された傾斜線と、前後方向の水平線とが時計回り方向になす角度である。傾斜角度α２は、左下傾斜部分２８が、中心線ＣＬを含む上下方向の垂直な平面に投影された傾斜線と、前後方向の水平線とが時計回り方向になす角度である。本実施形態では、傾斜角度θ１は、４１度に設定され、傾斜角度θ２は、３７度に設定される。傾斜角度α１は、６７度に設定され、傾斜角度α２は、２７度に設定される。すなわち、傾斜角度α１は、傾斜角度θ１より大きく設定されるとともに、傾斜角度α２は、傾斜角度θ１より小さく設定される。これらの傾斜角度の設定により、右上傾斜部分２２と、右下傾斜部分２６とにより形成される傾斜部分は、傾斜線ＫＬ１を含む左右方向の平面との間で、所定の間隙を形成することができる。同様に、左上傾斜部分２４と、左下傾斜部分２８とにより形成される傾斜部分は、傾斜線ＫＬ１を含む左右方向の平面との間で、所定の間隙を形成することができる。
【００５４】
右上傾斜部分２２と、右下傾斜部分２６とが連結される右連結部分は、図５に示すように、上下方向において、中心線ＣＬとほぼ同じ位置に位置する。同様に、左上傾斜部分２４と、左下傾斜部分２８とが連結される左連結部分は、上下方向において、中心線ＣＬとほぼ同じ位置に位置する。図４においては、右連結部分、および左連結部分は、中心点ＣＴを通る左右方向の水平線の上に、ほぼ位置する。
【００５５】
（第２延出部５の第２端縁部分１４の傾斜形状）
第２延出部５の第２端縁部分１４の傾斜形状について、図５および図６を参照して説明する。図５において、傾斜角度β１は、右上傾斜部分３２が、中心線ＣＬを含む上下方向の垂直な平面に投影された傾斜線と、前後方向の水平線とが時計回り方向になす角度である。傾斜角度β２は、右下傾斜部分３６が、中心線ＣＬを含む上下方向の垂直な平面に投影された傾斜線と、前後方向の水平線とが時計回り方向になす角度である。
【００５６】
図６において、傾斜角度β１は、左上傾斜部分３４が、中心線ＣＬを含む上下方向の垂直な平面に投影された傾斜線と、前後方向の水平線とが時計回り方向になす角度である。傾斜角度β２は、左下傾斜部分３８が、中心線ＣＬを含む上下方向の垂直な平面に投影された傾斜線と、前後方向の水平線とが時計回り方向になす角度である。本実施形態では、傾斜角度β１は、６７度に設定され、傾斜角度α１と同じ角度に設定される。傾斜角度β２は、２９度に設定される。すなわち、傾斜角度θ２は、傾斜角度θ１より小さく設定される。傾斜角度β１は、傾斜角度θ２より大きく設定されるとともに、傾斜角度β２は、傾斜角度θ２より小さく設定される。これらの傾斜角度の設定により、右上傾斜部分３２と、右水平部分４０と、右下傾斜部分３６とにより形成される傾斜部分は、傾斜線ＫＬ２を含む左右方向の平面との間で、所定の間隙を形成することができる。同様に、左上傾斜部分３４と、左水平部分４２と、左下傾斜部分３８とにより形成される傾斜部分は、傾斜線ＫＬ２を含む左右方向の平面との間で、所定の間隙を形成することができる。
【００５７】
（第２延出部５の第２先端部分１６の延出形状）
図５において、第２延出部５の第２先端部分１６は、傾斜線ＫＬ１に対して、前方に延出した位置に配置される。また、第２先端部分１６は、第１先端部分１２より退避した位置、すなわち後方の位置に配置される。第２先端部分１６と中心線ＣＬとの間の距離が、右水平部分４０、および左水平部分４２の各水平部分と中心線ＣＬとの間の距離と、ほぼ同じになるように、右下傾斜部分３６、および左下傾斜部分３８が中心線ＣＬに対して配置される。
【００５８】
本実施形態では、傾斜角度α２は、２７度に設定され、傾斜角度β２は、傾斜角度θ２の３７度より小さい角度である２９度に設定される。傾斜角度α２と、傾斜角度β２とは、ほぼ同じ角度に設定される。これらの傾斜角度の設定状態において、右下傾斜部分３６の１／２以上の傾斜部分が、図５に示すように、傾斜線ＫＬ１に対して前方に延出するように、右水平部分４０の前後方向の長さが設定される。同様に、左下傾斜部分３８の１／２以上の傾斜部分が、傾斜線ＫＬ１に対して前方に延出するように、左水平部分４２の前後方向の長さが設定される。
【００５９】
本実施形態では、筒状部３の外周面の直径は、１２．１ｍｍに設定される。第１先端部分１２は、後端部分２０から前方に、１３．０ｍｍだけ延出する。第２先端部分１６は、後端部分２０から前方に、１０．５ｍｍだけ延出する。右下傾斜部分２６が、中心線ＣＬを含む上下方向の垂直な平面に投影された傾斜線と、右下傾斜部分３６が、中心線ＣＬを含む上下方向の垂直な平面に投影される傾斜線との間の間隔は、約２．２ｍｍに設定される。同様に、左下傾斜部分２８が、中心線ＣＬを含む上下方向の垂直な平面に投影された傾斜線と、左下傾斜部分３８が、中心線ＣＬを含む上下方向の垂直な平面に投影される傾斜線との間の間隔も、約２．２ｍｍに設定される。
【００６０】
（筒状部３の内部構成）
図６において、筒状部３は、後方内周部５０と、中間内周部５２と、前方内周部５４と、を備える。３つの内周部５０〜５４は、中心線ＣＬに直交する平面において円形の断面形状をそれぞれ有する。挿入開口５６が、後方内周部５０の後端部分に形成される。吸引パイプ２は、挿入開口５６から、筒状部３の内部に挿入される。中間内周部５２は、後方部分において後方内周部５０の前方部分に連結される。挿入開口５６は、直径Ｄ１を有し、中間内周部５２は、直径Ｄ１より小さい直径Ｄ２を有する内周面により形成される。このため、後方内周部５０は、挿入開口５６から、中間内周部５２との連結部分まで、円形の断面形状の直径が徐々に小さくなるテーパ形状の内周面により形成される。吸引パイプ２の外周面の直径は、挿入開口５６の直径Ｄ１より小さく設定される。また、吸引パイプ２の外周面の直径は、中間内周部５２の内周面の直径Ｄ２より、僅かに大きい。この中間内周部５２の内周面の直径Ｄ２の設定により、吸引パイプ２を挿入する際に、中間内周部５２は弾性変形して吸引パイプ２の挿入状態を保持する。
【００６１】
中間内周部５２は、直径Ｄ２を有する円形の断面形状の内周面により形成される。前方内周部５０は、直径Ｄ３を有する円形の断面形状の内周面により形成される。直径Ｄ３は、直径Ｄ２より小さく設定される。この直径の設定により、段差部分５８が、中間内周部５２と前方内周部５４とが連結される位置に形成される。３つの内周部５０〜５４の内周面は、唾液、または切削屑などの物質が吸引される吸引内部空間を形成する。第１吸引開口４４、および第２吸引開口４６は、この吸引内部空間に連通する。
【００６２】
図６において、第２延出部５は、第２端縁部分１４から、固定端部分６０まで後方に延びて形成される。固定端部分６０を含む第２延出部５の後方部分は、前方内周部５４の内周面に連結される。
【００６３】
（連結部６の形成範囲）
図６において、連結部６は、連結先端部分１８から、連結後端部分６２まで後方に延びて形成される。連結後端部分６２を含む連結部６の後方部分は、前方内周部５４の内周面に連結される。連結後端部分６２は、前後方向において、第２延出部５の固定端部分６０と同じ位置に配置される。
【００６４】
図６において、領域ＲＥは、前後方向において、第２延出部５の第２先端部分１６から、固定端部分６０までの形成領域である。領域ＲＣは、連結部６の連結先端部分１８が配置される前後方向の領域である。間隔Ｈは、第２延出部５の第２先端部分１６において、第１延出部４と第２延出部５との間の互いに対向する面の間隔である。具体的には、図４に示す中心点ＣＴからの放射方向において、右下傾斜部分３６、および左下傾斜部分３８の外周面と、右下傾斜部分２６、および左下傾斜部分２８の内周面との間の間隔のうちで、最大の間隔が、間隔Ｈである。領域ＲＣは、間隔Ｈと同じ長さの領域である。
【００６５】
本実施形態では、連結先端部分１８が、領域ＲＣの範囲内に配置される。この連結先端部分１８の配置により、連結先端部分１８に近接する第２延出部５の一部分が上方から押圧されて下方に湾曲した場合でも、右下傾斜部分３６、および左下傾斜部分３８の外周面と、右下傾斜部分２６、および左下傾斜部分２８の内周面との間に形成される吸引開口が塞がれることを防止することができる。
【００６６】
（歯科診療用吸引具１の各部分の肉厚）
図６において、第１延出部４の右下傾斜部分２６の肉厚Ｔ１、および左下傾斜部分２８の肉厚Ｔ１は、第２延出部５の右下傾斜部分３６の肉厚Ｔ２、および左下傾斜部分３８の肉厚Ｔ２と、ほぼ同じ肉厚か、または、僅かに小さい肉厚に設定される。また、前方内周部５４における筒状部３の肉厚Ｔ３は、肉厚Ｔ１と同じ肉厚に設定される。本実施形態では、肉厚Ｔ１、Ｔ３は、１．５ｍｍに設定される。
【００６７】
［実施形態の動作および作用］
歯科診療用吸引具１の動作および作用を簡単に説明する。歯科診療用吸引具１の動作および作用として、吸引パイプ２に対する歯科診療用吸引具１の取付け動作、および取外し動作と、歯科診療用吸引具１により唾液などの物質を吸引する動作とを、以下に説明する。
【００６８】
（吸引パイプ２に対する歯科診療用吸引具１の取付け動作、および取外し動作）
新品の歯科診療用吸引具１を吸引パイプ２に取り付ける場合、図６において、使用者が、歯科診療用吸引具１の挿入開口５６から、吸引パイプ２の先端部分を内部に挿入する。吸引パイプ２の直径は、挿入開口５６の直径Ｄ１より小さいことから、使用者は、後方内周部５０において吸引パイプ２の先端部分を小さな挿入力で挿入することができる。
【００６９】
吸引パイプ２の外周面の直径は、中間内周部５２の内周面の直径Ｄ２より、僅かに大きいことから、使用者は、中間内周部５２において、後方内周部５０における挿入力より大きな挿入力で吸引パイプ２の先端部分を挿入する必要がある。この挿入の際に、筒状部３の中間内周部５２は弾性変形することにより、その中間内周部５２の内周面の直径が吸引パイプ２の外周面の直径に合わせて大きくなる。
【００７０】
使用者が、吸引パイプ２の先端部分が段差部分５８に当接するまで吸引パイプ２を挿入すると、吸引パイプ２に対する歯科用吸引チップ１の前後方向の位置が決定される。この段差部分５８への当接により、吸引パイプ２の挿入作業が終了し、歯科診療用吸引具１が吸引パイプ２に取り付けられる。
【００７１】
新品の歯科診療用吸引具１と交換するために、吸引パイプ２から歯科診療用吸引具１を取り外す場合、使用者は、吸引パイプ２の外周面と中間内周部５２の内周面との間の摩擦抵抗に抗して、吸引パイプ２から古い歯科診療用吸引具１を引き抜く作業を行う。
【００７２】
（歯科診療用吸引具１により唾液などの物質を吸引する動作）
歯科診療用吸引具１を患者の治療のために使用する前に、歯科診療用吸引具１単体、または、所定の長さの吸引パイプ２に取り付けた状態の歯科診療用吸引具１が加熱滅菌処理される。図示しない吸引ポンプを作動させると、吸引パイプ２の内部、および筒状部３の吸引内部空間が負圧の状態になる。この負圧の状態において、歯科診療用吸引具１が患者の口腔内に挿入されると、唾液、および冷却用噴水などの液体物質、または切削屑などの固体物質が、第２延出部５の第２吸引開口４６と、その第２吸引開口４６以外の第１延出部４の第１吸引開口４４とから吸引され、筒状部３の吸引内部空間に吸い込まれる。一般的には、口腔内の下方に溜まる唾液などを吸引するために、図１、および図７に示すように、第１延出部４の第１先端部分１２が口腔内の下方に位置するように、歯科診療用吸引具１が挿入される。図１、および図７において、舌、または頬などの柔らかい組織ＴＧが、二点鎖線で示される。
【００７３】
歯科診療用吸引具１が口腔内の奥まで挿入されると、歯科診療用吸引具１の第１延出部４、および第２延出部５が患者の柔らかい組織ＴＧに接触する場合が多く発生する。この場合、その柔らかい組織ＴＧの表面が第１吸引開口４４、および第２吸引開口４６に向かって吸引される。しかし、第２延出部５の第２先端部分１６が、図５および図６に示すように、傾斜線ＫＬ１より前方に延出して配置されることから、柔らかい組織ＴＧの表面は第２先端部分１６に当たって、第１端縁部分１０、および第２端縁部分１４まで吸い寄せられることが低減される。具体的には、柔らかい組織ＴＧの表面は第２先端部分１６に当たることにより、柔らかい組織ＴＧの表面が、第１端縁部分１０の右上傾斜部分２２、左上傾斜部分２４、右下傾斜部分２６、および左下傾斜部分２８に接触することが低減されるとともに、第２端縁部分１４の右上傾斜部分３２、左上傾斜部分３４、右下傾斜部分３６、および左下傾斜部分３８に接触することが低減される。
【００７４】
第２延出部５の第２先端部分１６の近傍部分は、連結部６により、第１延出部４の第１先端部分１２の近傍部分と連結されることから、第２延出部５の第２先端部分１６が柔らかい組織ＴＧの表面に当たった場合でも、第２延出部５の第２先端部分１６の近傍部分が弾性変形して下方に移動することが低減される。この下方への移動が低減されることにより、第２先端部分１６が傾斜線ＫＬ１より前方に延出した状態が保持される。また、第２延出部５は可撓性に優れた合成樹脂材料から形成されることから、右下傾斜部分３６、および左下傾斜部分３８のうちで第２先端部分１６から離れた部分は、柔らかい組織ＴＧと接触して弾性変形することから、第２延出部５が患者に違和感を与えることは少ない。
【００７５】
第２延出部１４の右上傾斜部分３２、および左上傾斜部分３４の傾斜角度β１は、右下傾斜部分３６、および左下傾斜部分３８の傾斜角度β２より大きく設定される。また、第２延出部１４は、右水平部分４０、および左水平部分４２を備える。第２延出部５の両傾斜部分３２、３４、および両水平部分４０、４２は、図５、および図６に示すように、傾斜線ＫＬ２の後方に、間隙を確保するために作用する。
【００７６】
［実施形態の効果］
本実施形態では、第２延出部５の第２先端部分１６が、図５および図６に示すように、傾斜線ＫＬ１より前方に延出して配置されることから、柔らかい組織ＴＧの表面は第２先端部分１６に当たって、第１端縁部分１０、および第２端縁部分１４まで吸い寄せられることが低減される。この結果、第１吸引開口４４、および第２吸引開口４６が柔らかい組織ＴＧの表面により塞がれることが低減され、両吸引開口４４、４６からの物質の吸引作用が継続される。
【００７７】
本実施形態では、第２延出部５の第２先端部分１６の近傍部分は、連結部６により、第１延出部４の第１先端部分１２の近傍部分と連結されることから、第２延出部５の第２先端部分１６が柔らかい組織ＴＧの表面に当たった場合でも、第２延出部５の第２先端部分１６の近傍部分が弾性変形して下方に移動することが低減される。この結果、第１吸引開口４４、および第２吸引開口４６が柔らかい組織ＴＧの表面により塞がれることが低減され、両吸引開口４４、４６からの物質の吸引作用が確実に継続される。
【００７８】
本実施形態では、領域ＲＣは、図６に示す両延出部４、５の間隔Ｈと同じ距離に設定される。連結部６の連結先端部分１８が、図６に示すように、第２先端部分１６から領域ＲＣの範囲内に配置される。この結果、第２先端部分１６が柔らかい組織ＴＧに当たって下方に湾曲して弾性変形したとしても、第２先端部分１６の下方に位置する第１吸引開口４４が第２先端部分１６の近傍部分により塞がれることが確実に防止される。
【００７９】
本実施形態では、第２延出部５の両傾斜部分３２、３４、および両水平部分４０、４２は、図５、および図６に示すように、傾斜線ＫＬ２の後方に、間隙を確保するために作用する。この結果、第２吸引開口４６が柔らかい組織ＴＧの表面により塞がれることが低減され、この吸引開口４６からの物質の吸引作用が確実に継続される。
【００８０】
本実施形態では、第２延出部５は、両水平部分４０、４２を備えることから、第２先端部分１６を傾斜線ＫＬ１より前方に延出するように配置するために右下傾斜部分２６、および左下傾斜部分２８の傾斜角度を小さな角度に設定する必要がない。この結果、両傾斜部分３６、３８の傾斜角度β２を第１延出部４の両傾斜部分２６、２８の傾斜角度α２とほぼ同じ角度に設定することができ、第２先端部分１６が柔らかい組織ＴＧに接触した場合でも、患者に違和感を与えることが低減される。
【００８１】
本実施形態では、図４に示すように、第２吸引開口４６が、その第２吸引開口４６以外の第１吸引開口４４より上方に配置される。連結部６は、第２吸引開口４６以外の第１吸引開口４４の内部に配置される。一般的に、唾液などの液体物質は患者の口腔内の下方に溜まることから、連結部６は、液体物質の吸引に支障となることはない。一方、歯の切削屑などの固体物質は、第１延出部４の両傾斜部分２６、２８より上方に位置する第２延出部５の両傾斜部分３６、３８の上に落ちることが多いと考えられることから、この固体物質は、第２吸引開口４６から吸引されて、筒状部３の吸引内部空間に円滑に移動される。
【００８２】
＜構成の対応関係＞
歯科診療用吸引具１は、本発明の診療用吸引具の一例である。吸引パイプ２が、本発明の吸引パイプの一例である。筒状部３、第１延出部４、第２延出部５、および連結部６は、本発明の筒状部、第１延出部、第２延出部、および連結部の一例である。第１端縁部分１０、および第２端縁部分１４が、本発明の第１端縁部分、および第２端縁部分の一例である。第１吸引開口４４、および第２吸引開口４６が、本発明の第１吸引開口、および第２吸引開口の一例である。後方内周部５０、中間内周部５２、および前方内周部５４の内周面が形成する空間が、本発明の筒状部の内部空間の一例である。前方内周部５４の内周面が、本発明の筒状部の内周面の一例である。第１先端部分１２が、本発明の第１端縁部分のうちの最も延出する先端部分の一例である。第２先端部分１６が、本発明の第２端縁部分のうちの最も延出する先端部分の一例である。後端部分２０が、本発明の第１端縁部分のうちの最も筒状部に近接する端縁部分の一例である。傾斜線ＫＬ１が、本発明の「第１端縁部分のうちの最も筒状部に近接する端縁部分と、第１端縁部分のうちの最も延出する先端部分とを結ぶ線分」の一例である。第１端縁部分１０の右上傾斜部分２２、および左上傾斜部分２４が、本発明の第１傾斜部分の一例であり、第１端縁部分１０の右下傾斜部分２６、および左下傾斜部分２８が、本発明の第２傾斜部分の一例である。傾斜角度α１は、本発明の第１傾斜部分の傾斜角度の一例である。傾斜角度θ１は、本発明の「第１端縁部分のうちの最も筒状部に近接する端縁部分と、第１端縁部分のうちの最も延出する第１先端部分とを結ぶ線分の所定の延出方向に対する傾斜角度」の一例である。第２端縁部分１４の右上傾斜部分３２、および左上傾斜部分３４が、本発明の第３傾斜部分の一例であり、第２端縁部分１４の右下傾斜部分３６、および左下傾斜部分３８が、本発明の第４傾斜部分の一例である。傾斜角度β１、および傾斜角度β２は、本発明の第３傾斜部分の傾斜角度、および第４傾斜部分の傾斜角度の一例である。挿入開口５６、および段差部分５８が、本発明の挿入開口、および段差部分の一例である。間隔Ｈは、本発明の「第２端縁部分の第２先端部分において所定の延出方向と直交する方向に第１延出部の第１内周面と第２延出部の第２外周面とが離間する間隔」の一例である。領域ＲＣは、本発明の「第２端縁部分の第２先端部分から筒状部の内部空間に向かう所定の延出方向と平行な方向に定められる領域」の一例である。中心点ＣＴが、本発明の筒状部の内部空間の中心位置の一例である。前後方向が、本発明の所定の長手方向、および、所定の延出方向の一例である。
【００８３】
＜変形例＞
本発明は、本実施形態に限定されることはなく、その趣旨を逸脱しない範囲において種々の変形が可能である。以下にその変形の一例を述べる。
【００８４】
（１）本実施形態は、本発明を歯科診療用吸引具１に具体化した形態であるが、この形態に限定されない。たとえば、心臓手術などの医療手術を行うために血液などの物質を吸引する外科手術用吸引具として、本発明が具体化されてもよい。この場合、手術される患者の部位に応じて、筒状部の直径、第１延出部および第２延出部の延出長さ、および第１延出部および第２延出部の傾斜形状などが決定される。また、筒状部、および両延出部を形成する合成樹脂材料の種類も、手術される患者の部位の組織の柔らかさなどの組織の特性、および、使用される薬品に応じて、決定される。
【００８５】
（２）本実施形態では、吸引パイプ２の外周面が、筒状部３の中間内周部５２の内周面に密着した状態で嵌合することにより、吸引パイプ２に対する歯科診療用吸引具１の取付状態が保持される。その取付状態を保持する保持力、すなわち、吸引パイプ２の外周面と中間内周部５２の内周面との間の摩擦抵抗が大きい場合には、吸引パイプ２から歯科診療用吸引具１が抜け落ちるおそれが低くなるが、逆に、歯科診療用吸引具を交換するために、吸引パイプ２から歯科診療用吸引具１を取り外す際に、取り外すのに苦労することがある。そこで、図８に示す変形例では、一対の把持突起７０、７２が、筒状部３の外周面に固定して設けられる。両把持突起７０、７２の前後方向の長さは、使用者が筒状部３の外周面を確実に把持して吸引パイプ２に対して歯科診療用吸引具１を前後方向に移動させるのに必要な長さに設定される。本変形例では、２つの把持突起７０、７２が設けられるが、３つ以上の把持突起が設けられてもよい。また、両把持突起７０、７２は、前後方向に延びた状態で設けられるが、複数の把持突起が、筒状部３の外周面の円周方向に延びた状態で設けられてもよい。使用者は、複数の把持突起により筒状部３の外周面を確実に把持することができることから、吸引パイプ２に取り付けられた歯科診療用吸引具１を、吸引パイプ２に対して回動させることが容易になる。このため、診療途中において、吸引パイプ２に対する歯科診療用吸引具１の回動位置を調整することができる。
【００８６】
（３）本実施形態では、第１端縁部分１０の右上傾斜部分２２、および左上傾斜部分２４の傾斜角度α１と、第２端縁部分１４の右上傾斜部分３２、および左上傾斜部分３４の傾斜角度β１とが、同じ傾斜角度に設定されるが、両傾斜角度α１、β１が、異なる角度であってもよい。
【００８７】
（４）本実施形態では、第２端縁部分１４は、右水平部分４０、および左水平部分４２を備え、第１端縁部分１０は、水平部分を備えない構成であるが、この構成に限定される。たとえば、両端縁部分がともに、水平部分を備える構成であってもよいし、第１端縁部分のみが水平部分を備える構成であってもよい。
【００８８】
（５）本実施形態では、第１端縁部分１０の右下傾斜部分２６の内周面、および左下傾斜部分２８の内周面と、第２端縁部分１４の右下傾斜部分３６の外周面、および左下傾斜部分８８の外周面との間の間隔が最も大きな間隔となる位置のみに、図４に示すように、連結部６が配置される構成であるが、この構成に限定されない。たとえば、中心点ＣＴを中心とする複数の異なる回動位置において、第１端縁部分１０の上記内周面と第２端縁部分１４の上記外周面との間に、複数の連結部が設けられる構成であってもよい。
【００８９】
（６）本実施形態では、第２延出部５の第２端縁部分１４の右下傾斜部分３６、および左下傾斜部分３８は、中心点ＣＴから上方に偏心した中心点ＣＨを中心とする円弧形状に形成される。第２端縁部分１４の右上傾斜部分３２、および左上傾斜部分３４を前方から見た形状は、図４に示すように、右水平部分４０、および左水平部分４２から直線状に立ち上がる形状である。第２端縁部分１４を前方から見た形状は、図４に示す形状に限定されない。たとえば、第２端縁部分１４を前方から見た形状は、中心点ＣＴから偏心した中心点を中心とする連続した円弧形状であってもよいし、円形形状であってもよい。
【００９０】
（７）本実施形態では、図４において、右上傾斜部分３２は、右側方部分において右上傾斜部分２２に連結されて形成される。左上傾斜部分３４は、左側方部分において左上傾斜部分２４に連結されて形成される。図６において、第２延出部５は、第２端縁部分１４から、固定端部分６０まで後方に延びて形成される。固定端部分６０を含む第２延出部５の後方部分は、前方内周部５４の内周面に連結される。すなわち、第２延出部５は、筒状部３の内周面、および第１延出部４の内周面にそれぞれ連結される構成であるが、この構成に限定されない。たとえば、第２延出部５は、筒状部３の内周面、および第１延出部４の内周面のいずれか一方の内周面に連結される構成であってもよい。
【００９１】
（８）本実施形態では、傾斜角度β１は、６７度に設定され、傾斜角度α１と同じ角度に設定される。傾斜角度α２は、２７度に設定され、傾斜角度β２は、傾斜角度θ２の３７度より小さい角度である２９度に設定される。傾斜角度α２と、傾斜角度β２とは、ほぼ同じ角度に設定される。これらの傾斜角度α１、α２、β１、β２の設定は、本実施形態における傾斜角度の設定に限定されない。たとえば、第２端縁部分１４は、第１端縁部分１０の前下がりの傾斜方向に沿って、前下がりに傾斜して延びる構成であるかぎり、傾斜角度α１、β１が異なるとともに、傾斜角度α２、β２が異なるように設定されてもよい。
【符号の説明】
【００９２】
１    歯科診療用吸引具
２    吸引パイプ
３    筒状部
４    第１延出部
５    第２延出部
６    連結部
１０    第１端縁部分
１２    第１先端部分
１４    第２端縁部分
１６    第２先端部分
２０    後端部分
２２、３２    右上傾斜部分
２４、３４    左上傾斜部分
２６、３６    右下傾斜部分
２８、３８    左下傾斜部分
４４    第１吸引開口
４６    第２吸引開口
５０    後方内周部
５２    中間内周部
５４    前方内周部
５６    挿入開口
５８    段差部分
ＫＬ１、ＫＬ２    傾斜線
θ１、θ２、α１、α２、β１、β２    傾斜角度
Ｈ    間隔
ＲＣ    領域
以上
【図１】
0006485908.tif 000002
【図２】
0006485908.tif 000003
【図３】
0006485908.tif 000004
【図４】
0006485908.tif 000005
【図５】
0006485908.tif 000006
【図６】
0006485908.tif 000007
【図７】
0006485908.tif 000008
【図８】
0006485908.tif 000009